(57)【要約】  本発明は、あらかじめ造られた海洋の基礎（２）に耐洗掘材料（１）を取り付けるためのシステムに関し、基礎は、自己浮遊方式で海底（２２）上の最終位置（５）へ移送可能であり、耐洗掘材料（１）を収容するための少なくとも一つの装置（３）と、海洋の基礎（２）に耐洗掘材料（１）および／または収容装置（３）を固定するための少なくとも一つの装置（４）と、を備え、収容装置（３）および固定装置（４）は、海洋の基礎（２）が最終位置（５）に設置される前に海洋の基礎（２）に取り付け可能である。本発明はまた、方法およびシステムの使用に関する。【選択図】図１０Ａ
2019523355.tif 000002
【特許請求の範囲】
【請求項１】
あらかじめ造られた海洋の基礎（２）に耐洗掘材料（１）を設置するためのシステムであって、
前記基礎（２）は、海底（２２）上の最終位置（５）へ自己浮遊方式で移送可能であり、
前記システムは、
前記耐洗掘材料（１）を収容するための少なくとも一つの装置（３）であって、前記収容装置（３）は、耐洗掘材料（１）で満たされ、前記基礎（２）の外周に横方向に隣接し、互いに結合された複数の袋（２４）を備えるものと、
前記海洋の基礎（２）に前記収容装置（３）を固定するための少なくとも一つの装置（４）であって、テンショナ、ケーブルおよび／またはコードを通じた伝達による前記固定装置（４）のための遠隔制御および／または作動装置が備えられたものとを有し、
前記制御装置は、少なくとも二つの位置で前記収容装置（３）を形作るように構成されており、
前記少なくとも二つの位置は、
前記収容装置（３）の前記袋（２４）が、設置状態の最終位置とは異なる暫定的格納位置で、前記基礎の外周に隣接して維持される折り畳み状態位置（６）と、
前記耐洗掘材料（１）を収容する前記装置（３）を完全にまたは部分的に解放し、前記海洋の基礎（２）の近接した最終位置で前記収容装置（３）の前記袋（２４）の配置を促進する、展開状態位置（７）とを有する、システム。
【請求項２】
前記耐洗掘材料（１）は、砂利、岩、砂袋、ロックフィル、タイヤ、硬化性組成物、コンクリートブロック、コンクリートスラブまたはコンクリート中空本体、植生体、種子のうち、一つ以上の材料を備える、請求項１に記載のシステム。
【請求項３】
前記海洋の基礎（２）が最終位置（５）に設置される前に前記海洋の基礎（２）に取り付けられる前記耐洗掘材料（１）は、水の密度の５０％を超えない密度を有し、前記材料（１）の少なくとも一部は、前記海洋の基礎（２）の最終位置（５）への移送の間、沈められた位置に配置される、請求項１または請求項２に記載のシステム。
【請求項４】
前記収容装置（３）は、ネット、網、ジオテキスタイル、格子、キャノピ、収容するための布のうち、一つ以上の部材を備える、請求項１から請求項３のいずれか一項に記載のシステム。
【請求項５】
前記海洋の基礎（２）は、暫定的に浮遊できる中空コンクリートの土台を備える重力式基礎である、請求項１から請求項４のいずれか一項に記載のシステム。
【請求項６】
前記海洋の基礎（２）は、前記基礎（２）が前記海底（２２）の上に置かれたとき前記海底（２２）に突き刺さる外周スカート（２５）を備え、前記スカート（２５）の下側寸法は前記耐洗掘材料（１）より小さく、そのため前記スカートの打ち込みが、前記耐洗掘材料（１）が前記海底（２２）に接触する前に始まることを特徴とする、請求項１から請求項５のいずれか一項に記載のシステム。
【請求項７】
前記海洋の基礎（２）は、風力タービンタワーの基礎である、請求項１から請求項６のいずれか一項に記載のシステム。
【請求項８】
請求項１から請求項７のいずれか一項に記載の設置システムの使用を含む、あらかじめ造られた海洋の基礎（２）に耐洗掘材料（１）を取り付けるための方法であって、技術的に可能な任意の順番で、少なくとも、
ａ）耐洗掘材料（１）を配置するステップであって、前記耐洗掘材料（１）で充填可能な、前記海洋の基礎（２）の外周に横方向に隣接し、互いに結合された複数の袋（２４）を備える少なくとも一つの収容装置（３）に収容され、支持された耐洗掘材料（１）を配置するステップと、
ｂ）前記海洋の基礎（２）を前記海底（２２）上の最終位置へ移動させる前に、前記海洋の基礎（２）に耐洗掘材料（１）を収容するための前記装置（３）を取り付けおよび／または締結するための少なくとも一つの固定装置（４）を使用するステップと、
ｃ）耐洗掘材料（１）を設置するための前記システムとともに前記海洋の基礎（２）を自己浮遊方式で移送するステップと、
ｄ）前記海洋の基礎（２）の、前記海底（２２）上の最終位置（５）への固定を実行するステップと、を実行することを含むことを特徴とする、
方法。
【請求項９】
ステップｄ）の後、
ｅ）前記展開状態位置（７）に前記固定装置（４）を配置し、前記収容装置（３）を完全にまたは部分的に解放し、前記海洋の基礎（２）に近接する最終位置での前記収容装置（３）の前記袋（２４）の配置を促進するステップ、を含む、
請求項８に記載の耐洗掘材料（１）を取り付けるための方法。
【請求項１０】
前記システムは、前記固定装置（４）の前記位置（６、７）の構成のため前記遠隔制御および／または作動装置を作動するステップを含み、前記遠隔制御および／または作動装置は、前記海面（２１）での場所、または前記海面（２１）の上の場所から作動される、請求項９に記載の方法。
【請求項１１】
前記海面（２１）に沿った自己浮遊方式での海洋の基礎（２）の移送の間、および／または海洋の基礎（２）の、前記海底（２２）上の最終的な設置場所（５）への固定の間の、請求項１から請求項７のいずれか一項に記載のシステムの使用。
【請求項１２】
請求項１から請求項７のいずれか一項に記載の耐洗掘材料を取り付けるための方法を使用する、風力タービンタワー、風力タービンおよび／または海洋の基礎（２）上に設置された設備。
【発明の詳細な説明】
【技術分野】
【０００１】
本発明は、特にグリーンエネルギまたは再生可能エネルギを生成する海洋の設備用の、公共工事の分野に属する。より具体的には、本発明は、あらかじめ造られた水中の基礎、基礎の周りの水の影響に起因する洗掘に対して材料が配置される水底を保護することを意図された材料、の設置場所に移送、配置するための手段に関する。同様に、本発明は、耐洗掘材料を移送および配置するための前述の手段に基づいたシステムおよび方法、並びにその好ましい使用に関する。
【０００２】
本発明は特に、海底がその水域の定期的かつよくある強い動きに起因して洗掘する傾向がある水中の底であると仮定して、海底に設置されるあらかじめ造られた基礎に適用できる。特に、本発明は、重力を使用し、自己浮遊方式で移送される、洋上風力発電所の風力タービンのタワーを支持するための、コンクリートのあらかじめ造られた基礎に適用できる。
【背景技術】
【０００３】
水中構造物を組み立てるための方法は、通常は、あらかじめ製造された基礎を使用する。前述の基礎は、少なくとも大部分は基礎の設置場所から遠い場所で製造され、浮遊方法、自己浮遊方法または別の浮遊手段（はしけ、タグボート、浮きなど）からの助力を受けることのいずれか、で前述の場所へ移送され、水底へ沈降を用いて設置される。
【０００４】
本発明に適合する、あらかじめ造られた基礎の一つの種類は、重力式基礎であり、基礎は、選択的に重みで垂れ下がる、中実または中空の本体を備え、少なくとも主に、まさにその重量および／またはそのバラストの重量の影響によって、適切な場合、水底の上に安定的に設置される。
【０００５】
洗掘は、水底に配置された要素の周りの水の流れの浸食効果に起因する、水底からの材料の除去である。
【０００６】
水中設備、特に海洋の設備、は、耐用年数の間、水流、波および潮の影響に同時にさらされる。水の流れと設備の基礎との間の相互作用の結果は、洗掘現象を引き起こす。基礎の周りの当該現象の出現は、洗掘を引き起こし、これは、上の構造物の安定性にまさに重要な問題を示す。
【０００７】
基礎の周りの洗掘を防ぐまたは少なくとも減らすために、そのような現象を受けている影響を受けやすい領域へ耐洗掘材料を置く手法が知られている。耐洗掘材料は、例えば、はしけで移送される砂利またはロックフィルであり、一旦基礎が設置されると、クレーン、例えばレードルクレーン、を用いて、または注入機を用いて基礎の周りに配置される。基礎の設置前の基礎の設置場所への耐洗掘材料の配置がまた、知られている。いずれの場合でも、あらかじめ造られた基礎を使用する工法が使用されている手法である。
【発明の概要】
【０００８】
本発明は、第１の態様では、あらかじめ製造された水中の基礎のための耐洗掘材料の移送および配置システムに関し、システムは、前述の材料をあらかじめ造られた水中の基礎の設置場所に移送するため、および基礎に近接する領域に配置するために調整された手段を備え、一旦設置されると、材料は、基礎の周りの水の影響に起因する洗掘に対して、前述の材料が配置される水中の底を保護することを意図される。
【０００９】
より具体的には、本発明は、あらかじめ造られた海洋の基礎に耐洗掘材料を設置するためのシステムに関し、基礎は、自己浮遊方式で海底上の最終位置へ移送可能であり、システムは、
耐洗掘材料を収容するための少なくとも一つの装置と、
海洋の基礎に耐洗掘材料および／または収容装置を固定するための少なくとも一つの装置と、を備え、
収容装置および固定装置は、海洋の基礎が最終位置に設置される前に海洋の基礎に取り付け可能である。
【００１０】
本発明の好ましい実施形態では、耐洗掘材料および／または収容装置を固定するための装置は、少なくとも二つの状態位置を採ることができる。この二つの状態位置は、折り畳み状態位置と展開状態位置である。
折り畳み状態位置において、装置は、収容装置を海洋の基礎に固定する。これにより、耐洗掘材料が収容装置の内側に格納される。
展開状態位置において、装置は、収容装置および／または耐洗掘材料を完全にまたは部分的に解放する。これにより、海洋の基礎に近接する領域の海底での前述の材料の配置および／または展開を促進する。
【００１１】
記載された位置で装置を構成する能力は、下記の主な利点を与える。一方では、第１の位置は移送のため、および港での取り付けを容易にするためにより適するということが得られる。他方、第２の展開位置では、材料は、洗掘を防ぐという目的に対してできるだけ効果的であることを意味される。さらに、折り畳み位置では、耐洗掘材料は、基礎が底に接触するとき、基礎の正確な支持を妨げないということが得られる（耐洗掘材料が下ではなく横にあるべきとき、下にあることを防ぐ）。
【００１２】
本発明の別の好ましい実施形態では、構成可能な固定装置の折り畳まれた構成の位置で、耐洗掘材料は、収容装置に、海洋の基礎の外周に横方向に隣接した、設置状態での最終的な位置とは異なる位置で格納され、または包含される。そして、より好ましくは、耐洗掘材料は、一つ以上の材料を備え、例えば、砂利、岩、砂袋、ロックフィル、タイヤ、硬化性組成物、コンクリートブロック若しくはコンクリートスラブ、中空コンクリート本体、または当該技術分野で周知のものである。
【００１３】
本発明の別の好ましい実施形態では、海洋の基礎が最終位置に設置される前に海洋の基礎に取り付けられる耐洗掘材料は、水の密度の５０％を超えない密度を有し、前述の材料の少なくとも一部は、海洋の基礎の最終位置への移送の間、沈められた位置に配置される。これにより、自己浮遊式基礎とともに浮遊移送される耐洗掘材料の重量によって、耐洗掘材料および基礎で構成されるアセンブリの深度が少し増加し、その結果、特に低水深の港湾領域で行われる作業に対して、建設及び運搬の面で優位性が得られる。
【００１４】
本発明の別の好ましい実施形態では、耐洗掘材料は根本的に、水の密度に類似する、低密度材料で構成され、その結果、基礎が移送されるときに沈められながら移送された場合、アセンブリの深さにほとんど影響を及ぼさない。耐洗掘材料は、取得原価がほとんどない再利用材料、例えば中古タイヤ（タイヤは、輪状の形状およびその外周に沿った凹空間を備える、タイヤのカバーを意味する）など、に基づき得る。
【００１５】
耐洗掘材料および／またはシステムの任意の構成要素は、基礎の近くで植物の成長を促進することを意図された種子および／または植生体の形態および／または肥料要素を包含でき、これは地形の洗掘を防ぐおよび／または制限する付加的な対策を提供する。
【００１６】
本発明の別の好ましい実施形態では、収容装置は、以下の、ネット、網、ジオテキスタイル、格子、キャノピ、収容するため若しくは補充するための布若しくは袋、または暫定的に若しくは決定的に耐洗掘材料を含むことおよび／若しくは支持することが可能である当該技術分野で周知の類似の類いの任意の部材、の一つ以上の部材を備えることができる。収容措置は、基礎を海底に置く前に、設置処理の暫定的な状況で耐洗掘材料を収容することおよび／または支持することが可能であるが、また、一旦支持が置かれていると、波または水流の作用に起因され得る耐洗掘材料の分散の防止および／または制限の付加的な機能を実行できる。
【００１７】
収容装置はまた、海洋の基礎で想定され、その外周に沿って配置された耐洗掘材料を支持するための一つまたは複数の突出部、領域または要素として構成され得る。
【００１８】
本発明の別の好ましい実施形態では、システムは、固定装置の位置の構成のための遠隔制御手段を備え、遠隔制御手段は、例えばテンショナ、ケーブルおよび／またはコードを使用する伝達手段である、機械的および／または電気機械的な伝達による一つ以上の展開機構を備える。言及された手段は、基礎に結合された下側タワー区域の頂上部に設けられた上側プラットフォームであり、および／またはそこで作動され得、上側プラットフォームは、一旦基礎が設置されると水面上にあり続け、一旦基礎が底に着くと制御手段を作動するのに適した作業面を提供する。プラットフォームはさらに、アセンブリの設置またはアクセシビリティに接続された他の機能を使用され得る。
【００１９】
本発明の別の好ましい実施形態では、固定装置の位置の変更の要因である展開機構は、基礎の設置処理の特定の状況に至ったとき自動的に作動され、特定の状況は、非限定的な例として、特定の深さに至ること、海底に着く位置に至ること、または基礎の特定の内部バラストレベルに至ることであり得る。
【００２０】
本発明の別の好ましい実施形態では、海洋の基礎は、中空コンクリートの土台を備える重力式基礎である。より好ましくは、海洋の基礎は、暫定的に浮遊し得る中空コンクリートの円盤の形状を備える、風力タービンタワーの重力式基礎であり、本発明による耐洗掘材料を取り付けるためのシステムの構成要素は、基礎に横方向に適用される。基礎の下ではなく、横方向および／または外周の壁に付け加えることを意味する。システムの目的は根本的に、耐洗掘保護を意図され、基礎の他の状態を意図されていない。
【００２１】
本発明の別の実施形態では、耐洗掘材料は、本質的に平坦なコンクリートスラブによって形成され、収容装置は、基礎の外周に設けられたスラブのための静止および／または支持要素からなり、固定装置は、一方では、基礎の設置処理の間、スラブが基礎の外側壁に本質的に垂直および／または平行に維持されるように、スラブのために維持される暫定的な折りたたまれた状態を可能とする。これにより、後に、基礎が海底に着床すると、耐洗掘材料が容易に展開状態になり、スラブが海底上で実質的に水平状態をとる。
【００２２】
選択的に、基礎は、海底への締結、支持、刺突または固定のための手段（例えば、柱またはスカートタイプの構造物）を備えられる。本発明の別の好ましい実施形態では、海洋の基礎は特に、基礎が海底の上に置かれたとき海底に突き刺さる外周スカートを備え、スカートの下側寸法は、耐洗掘材料の寸法より小さく、その結果、スカートの打ち込みが、耐洗掘材料が海底に接触する前に始まる。スカートのおかげで、耐洗掘材料が海底に接触するとき、スカートは障害物として作用するため基礎がまだ底に置かれていなかったとしても、前述の材料が基礎の下に滑り込むことができる危険を防ぐことができる。加えて、スカートは、タイヤが（基礎の土台と一致する）最終的な寸法に進むことを可能にし、締結装置の位置の構成を制御する手段の必要性を未然に防ぐ。スカートの下側寸法は、移送および／または設置の暫定的な状況と、最終的な状況または設置された状態との両方で、耐洗掘材料のものより小さい。
【００２３】
本発明はしたがって、水中の設備用の耐洗掘材料を移送および配置するための解決策を提供し、特に耐洗掘材料を移送および配置することを意図された手段または船舶の使用を防ぐ。さらに、耐洗掘材料は、特にこのために調整された空間、例えば港、で基礎に積み込まれ得ることから、この仕事は、単純かつ費用効果の高い方法で実行され得、それでも、耐洗掘材料の最終位置への配置は、正確かつ信頼性のある方法で想定され得る。さらに、耐洗掘材料の最終位置への配置は、まさに基礎が配置されたとき、自動的に生じることから、複雑さ、時間、必要な手段および耐洗掘材料の設置費用は全て、特に増加した深さへの対応のとき、削減され得る。
【００２４】
本発明の第２の態様は、本文書に記載された任意の実施形態による設置システムの使用を含み、技術的に可能な任意の順番で、少なくとも、
ａ）少なくとも一つの収容装置に収容され、および／または支持された耐洗掘材料を配置するステップと、
ｂ）海洋の基礎を海底上の最終位置へ移動させる前に、海洋の基礎に耐洗掘材料および／または耐洗掘材料を収容するための少なくとも一つの装置を、取り付けおよび／または締結するための少なくとも一つの固定装置を使用するステップと、
ｃ）耐洗掘材料を設置するシステムとともに海洋の基礎を自己浮遊方式で移送するステップと
ｄ）海洋の基礎の、海底上の最終位置への固定を実行するステップと、
の実施形態を含む、あらかじめ造られた海洋の基礎での耐洗掘材料を取り付けるための方法に関する。
【００２５】
本発明の好ましい実施形態では、固定装置および／または収容装置は、格納された位置にステップｂ）で配置された、少なくとも二つの位置で構成可能であり、方法は、ステップｄ）の後、
ｅ）展開された構成の位置に固定装置を配置し、収容装置および／または耐洗掘材料を完全にまたは部分的に解放し、海洋の基礎に近接する領域での前述の材料の展開を促進するステップ、
を含む。
【００２６】
本発明の好ましい実施形態では、海底の上へのシステムの設置は、海底の上の最終的な設置場所から遠く離れた位置で実行され、海洋の基礎および耐洗掘材料を設置するためのシステムで構成されているアセンブリは、前述の場所へ移送される。より好ましくは、海洋の基礎は、最終的な設置場所の周辺領域へ、好ましくは基礎の移送のためのタグボートまたは類似の手段を使用して、自己浮遊方式で移送される。
【００２７】
システムが固定装置の位置の構成のための遠隔制御手段を備える本発明の別の好ましい実施形態では、遠隔制御手段は、海面での場所、または海面の上の場所から、好ましくは部分的に沈められたタワーの下部区域の頂上部から、作動する。したがって、耐洗掘材料の展開動作は、促進される。
【００２８】
本発明の第３の態様は、海面に沿った自己浮遊方法での海洋の基礎の移送の間、および／または海底上の最終的な設置場所への海洋の基礎の固定の間の、本文書に記載された任意の実施形態によるシステムの使用法に関する。
【００２９】
本発明の第４の態様は、本文書に記載された任意の実施形態による耐洗掘材料を設置するためのシステムを使用する、風力タービンタワー、風力タービン、および／または海洋の基礎上に設置された設備に関する。
【図面の簡単な説明】
【００３０】
本発明の特徴は、添付図面を参照して、例として記載され限定するものではない、本発明の実施形態の下記詳細な説明からより明確になる。
【００３１】
【図１】図１は、好ましい実施形態による、本発明のシステムの斜視図である。
【図２】図２は、図１に記載されたシステムの概略図であり、折りたたまれた構成の位置が示され、耐洗掘材料が収容装置の内側に格納されている。
【図３】図３は、図１に記載されたシステムの概略図であり、展開された構成の位置への変化を示しており、耐洗掘材料を収容するための装置を完全にまたは部分的に解放し、前述の材料の展開または配置を海洋の基礎に近接する最終的な位置にさせる。
【図４】図４は、本発明による、図１の移送および配置手段の実施形態を使用する方法の段階を、側面図で概略的に示している。
【図５】図５は、本発明による、図１の移送および配置手段の実施形態を使用する方法の段階を、側面図で概略的に示している。
【図６】図６は、本発明による、図１の移送および配置手段の実施形態を使用する方法の段階を、側面図で概略的に示している。
【図７】図７は、本発明による、図１の移送および配置手段の実施形態を使用する方法の段階を、側面図で概略的に示している。
【図８】図８は、本発明によるシステムの実施形態を、側面図の断面で、概略的に示している。
【図９】図９は、設置された基礎を備える図８のシステムおよび展開された構成での設置システムを、側面図の断面で、概略的に示している。
【図１０Ａ】図１０Ａは、耐洗掘材料を収容するための装置が、海洋の基礎の周りに配置された前述の材料を収容するための複数の袋を備える、本発明の好ましい実施形態を示している。
【図１０Ｂ】図１０Ｂは、耐洗掘材料を収容するための装置が、海洋の基礎の周りに配置された前述の材料を収容するための複数の袋を備える、本発明の好ましい実施形態を示している。
【図１１Ａ】図１１Ａは、本発明による、図１０Ａおよび図１０Ｂに記載されたシステムを設置するための方法のステップを示している。
【図１１Ｂ】図１１Ｂは、本発明による、図１０Ａおよび図１０Ｂに記載されたシステムを設置するための方法のステップを示している。
【図１１Ｃ】図１１Ｃは、本発明による、図１０Ａおよび図１０Ｂに記載されたシステムを設置するための方法のステップを示している。
【図１２Ａ】図１２Ａは、海洋の基礎が、基礎が海底の上に置かれたとき海底に突き刺さるように調整された外周スカートを備える、本発明の好ましい実施形態のステップを示している。
【図１２Ｂ】図１２Ｂは、海洋の基礎が、基礎が海底の上に置かれたとき海底に突き刺さるように調整された外周スカートを備える、本発明の好ましい実施形態のステップを示している。
【図１２Ｃ】図１２Ｃは、海洋の基礎が、基礎が海底の上に置かれたとき海底に突き刺さるように調整された外周スカートを備える、本発明の好ましい実施形態のステップを示している。
【００３２】
図において、異なる実施形態での同一または類似の要素は、プライム（ダッシュ）記号を付加して、同じ符号を使用して示されている。
【発明を実施するための形態】
【００３３】
図１から図３は、本発明による、あらかじめ造られた水中の基礎（２）に耐洗掘材料（１）を据え付けるためのシステムの実施形態を示す。
【００３４】
前述の図で見られるように、耐洗掘材料（１）を設置するためのシステムは、好ましくは、耐洗掘材料（１）を収容するための少なくとも一つの装置（３）と、
耐洗掘材料（１）および／または前述の収容装置（３）を海洋基礎（２）に固定するための少なくとも一つの装置（４）を備えており、
収容装置（３）および固定装置（４）は、海洋基礎（２）が最終位置（５）に設置される前に、海洋基礎（２）に取り付け可能である。
【００３５】
好ましくは、耐洗掘材料（１）および／または収容装置（３）を固定するための装置（４）は、少なくとも二つの状態位置を採ることができる。この二つの状態位置は、折り畳み状態位置（６）と展開状態位置（７）である。
折り畳み状態位置（６）において、装置（４）は収容装置（３）を海洋基礎（２）に固定する。これにより、耐洗掘材料（１）が収容装置（３）の内側に格納される。
展開状態位置（７）において、装置（４）は、耐洗掘材料（１）を収容するために、収容装置（３）を全てまたは部分的に開放する。これにより、海洋基礎（２）の近くの領域に耐洗掘材料（１）を展開する。
【００３６】
好ましくは、重力式の基礎（２）は、コンクリートの構造体または箱（８）を有する。箱（８）は、中空内側空間を有し、ほぼ円形で平坦な上壁（９）と、ほぼ円形で平坦で且つ上壁（９）に平行で且つ同心円に配置された下壁または床（１０）と、上壁（９）と下壁（１０）の周囲を連結する、実施例では垂直な側壁（１１）を有する。
【００３７】
しかし、基礎（２）は、使用されるものの中で任意のその他の形状を有することができ、通常は例えば円錐台形、四角形などである。重力式基礎（２）は、好ましくはタワー（１２）を有する構造を支持している。タワー（１２）は、箱（８）の設置場所（５）で海面から浮上するのに十分な高さを有する。
【００３８】
この実施形態において、耐洗掘材料（１）は複数のタイヤ（１３）を有する。収容装置（３）は収容網（１４）を有する。固定装置（４）はグロメット（１５）、取り付けアーチ（１６）、誘導アーチ（１７）およびコード（１８）で構成された動作アセンブリを有する。これに限らず、本発明の他の実施形態で説明するように、グロメット（１５）に代わる滑車、アーチ（１７）に代わるリング又は貫通孔、コード（１８）に代わるケーブル、または誘導および／若しくは固定のための当技術分野で周知の任意のその他の手段のような他の同等の手段を使用できる。
【００３９】
上述した網（１４）の長手方向の一方の端部（１９）は、下壁（１０）の径方向外側縁に固定された状態で連結されている。また、グロメット（１５）は、網（１４）の長手方向の他方の端部（２０）に沿って均等に配置されている。取り付けアーチ（１６）は、垂直壁（１１）の上縁に沿って分布している。ガイドアーチ（１７）は、上壁（９）の径方向端部からタワー（１２）へと上壁（９）上を径方向に伸びるとともに箱（８）を据え付けた状態で海の表面（２１）を超えてタワー（１２）の垂直延長部に沿って伸びる二つの平行な列に配置されている。網（１４）は、複数のグロメット（１５）が取り付けアーチ（１６）の間にちりばめられるように配置される。コード（１８）は、グロメット（１５）と取り付けアーチ（１６）に通され、グロメット（１５）と取り付けアーチ（１６）を交互に貫通される。また、コード（１８）は、箱（８）を据え付けた状態で海面を超えてガイドアーチ（１７）に通される。コード（１８）は、張力が加えられ、複数のグロメットと取り付けアーチの通し部をほぼ周方向に伸びている。網（１４）は十分に大きい。そのため、この状態で、垂直壁（１１）と協働してポケットを形成する。ポケットには、箱（８）の周方向に、タイヤ（１３）が収容される。この状態が固定システムの折り畳み状態に対応している。この状態で、コンクリートの箱（８）に対する耐洗掘材料（１）の相対位置は、据え付け状態における最終位置に置かれたときの相対位置とは異なる。
【００４０】
図示の実施形態は、網（１４）を固定する一つのコード（１８）を備えた固定システムを示す。当然、本発明の範囲を限定することなく、複数の操作用サブシステムを形成するために、複数のコード（１８）または複数の網（１４）を用いてもよい。
【００４１】
図４から図７は、図１から図３の耐洗掘材料を移送し配置するための手段を使用する方法の異なる段階を示す。
【００４２】
図４は、水の塊（この実施例では「海」）を示し、それは水底（この実施例では「海底」（２２））を有する。水底は設置場所（５）を有する（この場所は、窪んでいてもいなくてもよい。）。海面（２１）に沿って、自己浮遊によって箱（８）をけん引するタグボート（２３）は、箱（８）が設置場所（５）に垂直に対向する場所に位置するまで、移動する。箱（８）は、そこに載せたタワー（１２）（この実施例では、テレスコープ式のタワー）の少なくとも一部を運ぶ。この実施形態において、基礎（２）に既に取り付けられた風力タービンが輸送される。図で示されるように、本発明による耐洗掘材料（１）を設置するためのシステムは、アセンブリの輸送に先立って、単一作業で取り付けられる。
【００４３】
好ましくは、耐洗掘材料（１）は、けん引移送処理中、完全にまたは部分的に沈められている。これにより、耐洗掘材料（１）の有効重量が減少し、アセンブリの深さに影響を与える。タイヤ（タイヤの密度は水の密度に極めて近い）等の低密度材料を使用すると、アセンブリの深度による影響が最小化されるまたは実質的に無視できる程度となるという利点が得られる。
【００４４】
図５は箱（８）を示す。箱（８）は、重力によって設置場所（５）に据え付けられている。本実施例では、箱（８）の内部空間に海（２１）の水を入れることによって重くする。
【００４５】
図６は、海面（２１）から出ているコード（１８）の端部の一方が誘導アーチ（１７）のそれぞれの列を通じて引かれて、海面（２１）から出ているコード（１８）の他端は誘導アーチ（１７）のそれぞれの列を通じて解放されることを示す。これにより、コード（１８）は、グロメット（１５）、取り付けアーチ（１６）および誘導アーチ（１７）から抜かれ、網（１４）のグロメットから縁（２０）を解放する。動作アセンブリ（１５）、（１６）、（１７）、（１８）が解放される又は展開されることを意味する。図６は、この段階の一瞬を示しており、そこでは、コード（１８）が、グロメット（１５）の一部から、取り付けアーチ（１６）の一部から、さらに誘導アーチ（１７）の一部から抜かれる。したがって、網（１４）のグロメットから縁（２０）の一部をすでに解放している。すでに解放された網（１４）のグロメットの縁（２０）の一部は、タイヤ（１３）の重量により海底（２２）に落ち、タイヤ（１３）は箱（８）に近接する海底（２２）の領域に展開される。好ましくは、固定装置（４）は、タワー（１２）に設けた作業プラットフォーム（２６）から作動できる。固定装置は全処理中水上にある。そうするために、コード（１８）は、プラットフォーム（２６）から操作され得る。
【００４６】
図７は、コード（１８）がすでに完全に抜かれ、したがって全てのタイヤ（１３）が箱（８）の周りの海底（２２）付近に連続的に展開されることを示す。
【００４７】
好ましくは、網（１４）は、仮設置段階では収容装置として機能し、最終状態では完全に又は部分的に耐洗掘材料（１）の下に配置されるもので、洗掘を減らす又は防ぐために寄与する。
【００４８】
その後、海底の自然移動の影響を受けて、タイヤ（１３）は、海底からの物質（例えば、砂）でゆっくり満たされる傾向がある。この物質は、タイヤ（１３）の重量を増し、耐洗掘材料（１）としての機能を向上させる。好ましくは、タイヤ（１３）は、コードまたは技術的に知られている任意のその他の取付手段を用いて互いに結合される。ユニットが残りの部分から引っ張られるまたは分離されるのを防ぐためである。タイヤは、主網（１４）の内側で、袋または二次的な網に分けられるか集められる。
【００４９】
図８および図９を参照すると、これらの図は、本発明の別の好ましい実施形態によれば、あらかじめ造られた水中基礎のために耐洗掘材料を移送し配置するための手段を示している。耐洗掘材料を移送し配置するための前述の手段は、ジオテキスタイル（１４”）を有する。ジオテキスタイル（１４”）は、単一層（布タイプ）または二重層（袋タイプ）であり得る。コンクリートスラブはまた、ジオテキスタイルの代替品として使用され得る。本実施形態の固定装置は、他の実施形態で示すもの（図１〜図３または図１０Ａまたは図１０Ｂに記載のもの）に類似している。
【００５０】
図８は、折りたたまれた位置（６）でのシステムを示し、図９は、展開された状態（７）でのシステムを示す。
【００５１】
本実施形態では、耐洗掘材料は、ジオテキスタイル（１４”）自体である。また、収容装置は、基礎の外周に沿って横方向に配置されたジオテキスタイルの下縁を支持するおよび／または留めるための部材であり、この部材は連結されていてもよいし、連結されていなくてもよい。選択的に、袋タイプの二重層ジオテキスタイルを使う場合、ジオテキスタイル（１４”）の内部空間は、別の材料（好ましくは硬化性を有するもの）で満たしてもよい。選択的に、ジオテキスタイルは、箱（８）に近接する領域で海底（２２）の植生を促進する種、肥料またはその他の構成要素を包含できる。ジオテキスタイルを海底によりよく展開するために、ジオテキスタイルは、その外周縁に管（ホースなど）を設けてもよい。この管は、圧力流体が満たされる。管は、ほぼ円形の形状を採用し、このようにしてジオテキスタイルの展開に寄与する。
【００５２】
図１０Ａおよび図１０Ｂは、本発明のその他の好ましい実施形態を示し、そこでは、耐洗掘材料（１）を収容するための装置（３）が、海洋の基礎（２）の周りに横方向に複数の吊された収容袋（２４）を備える。前述の実施形態では、これらの袋（２４）はそれぞれ、それらを保持するコード（１８）またはケーブルに接続されており、コード（１８）は、耐洗掘材料（１）および収容装置（３）を固定するための装置（４）として作用する。当業者には分かるように、網（１４）、袋（２４）またはその他の同等の解決策の使用が、本発明の範囲内で目的を変えることなく潜在的に適用可能である。一つのコード（１８）で複数の袋（２４）を吊すことができる。
【００５３】
図１０Ａの実施形態では、固定装置（４）は、袋（２４）を展開するための作動アセンブリを有する。作動アセンブリは、袋（２４）が吊されるコード（１８）に対する一つ又は複数の仮固定部材（２７）を有する。固定部材は解放可能である。したがって、基礎が海底（２２）に着くと、コード（１８）が解放され、袋（２４）が海底（２２）に落下される。仮固定部材（２７）は、図示しないが、海面から動作されるコード又は紐などによって、遠隔操作可能である。または、仮固定部材は、基礎（２）が海底（２２）に着くと自身で解放するように設計してもよい。さらに、仮固定部材は、基礎（２）、タワー（１２）、作業用プラットフォーム（２６）の少なくともいずれか一つの適当な個所に設けてもよい。本発明の実施形態は、収容装置（３）を解放する手段によって袋（２４）を開放することなく耐洗掘材料（１）を展開できるので、さらなる複数の利点を有する。したがって、袋（２４）は、海底（２２）に向かって落下するが、耐洗掘材料（１）を袋の中に維持する。これにより、基礎（２）の脚部で又はタワー（１２）の別の箇所において袋の展開をより制御できる。そして、このような手法によれば、耐洗掘材料（１）を取り除いたり、置き換えたりする仕事が容易になり、他の代替品よりも環境に対する負荷を低減できる。加えて、耐洗掘材料（１）が袋（２４）に収容されて維持されることにより、波や潮流によって耐洗掘材料（１）が移動するおそれが減る。
【００５４】
システムの配置および／または動作を容易にするために、コード（１８）の配置、案内、および固定を容易にするガイドアーチ（１７）および／またはガイド、プーリ又はそれに類する部材を有する。当業者は分かるように、動作アセンブリは、複数の動作サブアセンブリに分割できる。複数の動作サブアセンブリのそれぞれは、大きさを限定し、並びに／または配置および／若しくは動作を容易にするために、基礎（２）の周りの全ての袋（２４）の一部に適用される。
【００５５】
図１０Ｂは、代替的な固定装置（４）を示す。この固定装置では、複数の袋を固定するためのそれぞれのコード（１８）は、第２のコード（１８’）に結合される。第２のコード（１８’）は、取り付けアーチ（１６）および／または誘導アーチ（１７）に通される。これにより、第２のコード（１８’）が解放されると、吊されたそれぞれの袋（２４）が海底（２２）上の最終位置に置かれるまで降下させる。
【００５６】
図１１Ａから図１１Ｃは、図４から図７の移送および配置手段に類似する、図１０ａおよび図１０ｂに記載された移送および配置手段を設置するための方法の異なるステップを示す。
【００５７】
当業者は分かるように、異なる動作アセンブリを備える固定システムのその他の構成は、同様の効果を備え、当該技術分野の周知の要素に基づいて、本発明の範囲から逸脱することなく、使用され得る。
【００５８】
好ましくは、異なる袋（２４）は、互いに結合され、その結果、それぞれの袋が分離し、かつ独立した要素として作用するのを防ぐ。これは、基礎（２）、および耐洗掘材料（１）の設置のためのシステムで構成されたアセンブリのけん引移送段階の間、特に便利であり得る。
【００５９】
図１２Ａから図１２Ｃは、本発明の別の好ましい実施形態の異なる段階を示す。この実施形態において、海洋の基礎（２）は、基礎（２）が海底（２２）の上に置かれたとき海底（２２）に突き刺さる外周スカート（２５）を備えている。スカート（２５）の下側寸法は、耐洗掘材料（１）の寸法より小さく、その結果、耐洗掘材料（１）が海底（２２）に接触する前に、スカートの打ち込みが始まる。上述のように、スカート（２５）のおかげで、耐洗掘材料（１）が海底（２２）に接触するとき、スカート（２５）が障害物として作用するため、基礎がまだ海底（２２）に置かれていない場合でさえ、前述の材料が基礎（２）の下に滑り込むことができる危険を防ぐことができる。加えて、スカート（２５）は、耐洗掘材料（１）が最終的な寸法（基礎（２）の土台と一致する）へ直接進むことができるようにし、締結装置（４）の位置の構成を制御するための手段が不要になる。
【００６０】
当業者は本文書の教示に基づいて理解するように、本発明によるそれぞれのアセンブリ装置の異なる実施形態に関する本明細書に記載されたもののような、手動の機械的動作アセンブリは、遠隔制御による電気機械的なアセンブリ装置によって置き換えられ得る。しかしながら、特定の利用で、この第２の種類のアセンブリ装置は、例えば、海の環境での高耐性を備える多数の部品を必要とすることに起因して、最終的に値段が高くなり得る。
【００６１】
当然、本発明の開始点を保ちながら、実施形態および構成の詳細は、単なる非限定的な例によって本明細書に記載され、説明されたものに関して、添付された特許請求の範囲で定められた本発明の範囲をこの理由で逸脱することなく、広く変化できる。
【符号の説明】
【００６２】
（１）      耐洗掘材料
（２）      海洋の基礎
（３）      耐洗掘材料を収容するための装置
（４）      収容装置および／または耐洗掘材料を固定するための装置
（５）      設置場所
（６）      固定装置の折り畳み状態位置
（７）      固定装置の展開状態位置
（８）      コンクリートの箱
（９）      上壁
（１０）    下壁
（１１）    側壁
（１２）    タワー
（１３）    タイヤ
（１４）    網、ジオテキスタイルまたはスラブ
（１５）    グロメット
（１７）    誘導アーチ
（１８）    コード
（１９）    長方形網の長い縁
（２０）    長方形網の長い縁
（２１）    海面
（２２）    海底
（２３）    タグボート
（２４）    耐洗掘材料を収容するための袋
（２５）    スカート
（２６）    プラットフォーム
（２７）    仮固定部材
【図１】
2019523355.tif 000003
【図２】
2019523355.tif 000004
【図３】
2019523355.tif 000005
【図４】
2019523355.tif 000006
【図５】
2019523355.tif 000007
【図６】
2019523355.tif 000008
【図７】
2019523355.tif 000009
【図８】
2019523355.tif 000010
【図９】
2019523355.tif 000011
【図１０Ａ】
2019523355.tif 000012
【図１０Ｂ】
2019523355.tif 000013
【図１１Ａ】
2019523355.tif 000014
【図１１Ｂ】
2019523355.tif 000015
【図１１Ｃ】
2019523355.tif 000016
【図１２Ａ】
2019523355.tif 000017
【図１２Ｂ】
2019523355.tif 000018
【図１２Ｃ】
2019523355.tif 000019
【国際調査報告】
2019523355.tif 000020
2019523355.tif 000021
2019523355.tif 000022
2019523355.tif 000023
2019523355.tif 000024
2019523355.tif 000025